Podtech/llm-jp-corpus-v4-ja_patent huggingface dataset:
(57)【要約】      （修正有）【課題】雨水を、ろ過したり、中和したりする為に腐葉土や炭を詰め込み、森林の保水力が増して土砂の流出を防止する間伐材の杭を提供する。【解決手段】間伐材を杭本体１として土８に打ち込みやすい長さに切り、杭の先端２を尖らせ、杭の形に削り、杭の強度を保つ範囲内で杭の中心に大きめの穴３を開ける、開いた中心の穴３に向かって外側から雨水が入りやすくする様に穴４をいくつも開ける、杭本体の中心の穴３の根元部分には溜まった雨水が杭の外へ出やすくする様に穴５を開ける、杭本体の中心の穴３には腐葉土６や炭７を詰め込む、中心の穴３に浸み込んだ酸性雨が炭７によって中和され、さらに腐葉土６でろ過されて大地深く浸透する。この杭１を山の斜面や人工林の保水力の弱い土に打ち込むことにより森の保水力が増し、杭１に開けられた無数の穴４と５には杭の中心３に詰め込まれた腐葉土６や炭７の養分を吸収する為に森林の木の根が入り込み、森林の活性化に役立つ。【選択図】図２
0003116377.tif 000002
【実用新案登録請求の範囲】
【請求項１】
人工林で間引きされた杉やヒノキの間伐材を杭として再生するために、土に打ち込みやすい長さに切り、先端を尖らせ、杭の形に削り、杭の強度を保つ範囲内で杭の中心に大きめの穴を開け腐葉土や炭を詰め、杭を土に深く打ち込む。山の斜面を流れ下った雨水は杭の中心に開いた穴から流れ込むだけでなく杭の中心に向かって外側から雨水が入りやすくする様に穴をいくつも開ける。杭の中心の穴の根元部分には、溜まった雨水が杭の外へ出やすくする様に下向きに穴を開ける。中心の穴に浸み込んだ酸性雨が炭によって中和され、さらに腐葉土でろ過されて大地深く浸透する。この杭を山の斜面や人工林の保水力の弱い土に打ち込むことにより森の保水力が増し、二酸化炭素を削減できる。杭に開けられた無数の穴には杭の中心に詰め込まれた腐葉土や炭の養分を吸収する為に森林の木の根が入り込み、森の活性化に大いに役立つ。
【考案の詳細な説明】
【技術分野】
【０００１】本考案は、二酸化炭素削減と雨水を地中深く浸透しやすくする為に間伐材を利用した杭に関するものである。
【背景技術】
【０００２】人工林に降った雨は土に浸透するより速く、斜面の土を洗い流してしまうため山は荒れる、荒れた山には人が手入れをしない為さらに山が荒れて大きな災害を引き起こしていた。
【考案の開示】
【考案が解決しようとする課題】
【０００３】雨水が山の斜面の土砂を押し流す事を防ぐのには、雨水を斜面の土に浸透させれば良く、その方法として人工林に豊富にある間伐材を利用できれば経済的、労働的負担が軽くなり、土に浸透する雨水が増えることで地下水が豊かになる。間伐をすれば人工林に光が入り下草が育った緑豊な状態が蘇ることにより、前述の欠点を解決しようとするものである。
【課題を解決するための手段】
【０００４】本考案は、間伐材を杭の形に削りその杭の中心に大きめの穴を開ける、開いた中心の穴に向かって外側から雨水が入りやすくする様に穴をいくつも開ける、杭本体の中心の穴の根元部分に溜まった雨水が杭の外へ出やすくする様に下向きに穴を開ける、杭本体の中心の穴には腐葉土や炭を詰め込む、中心の穴に浸み込んだ酸性雨が炭によって中和され、さらに腐葉土でろ過されて大地深く浸透することにより、問題点を解決している。
【考案の効果】
【０００５】上述の様に、本考案の雨水を地中深く浸透させられる間伐材の杭は、山に降った雨が杭の中心の穴に浸み込むように導かれる為、杭の穴に詰め込まれた腐葉土や炭の間を通過し根元部分に達するまでには、酸性雨は中和され、腐葉土によって、ろ過され養分を補われて根元部分に開いた穴から杭の外に放出される、放出された雨水は地中深く浸透することにより、山の荒廃や地下水の枯渇防止に役立つ。
【考案を実施するための最良の形態】
【０００６】本考案は、間伐材を杭として土に打ち込みやすい長さに切り、杭の先端を尖らせ、杭の形に削り、杭の強度を保つ範囲内で杭の中心に大きめの穴を開ける、開いた中心の穴に向かって外側から雨水が入りやすくする様に穴をいくつも開ける、杭本体の中心の穴の根元部分には溜まった雨水が杭の外へ出やすくする様に下向きに穴を開ける、杭本体の中心の穴には腐葉土や炭を詰め込む、中心の穴に浸み込んだ酸性雨が炭によって中和され、さらに腐葉土でろ過されて大地深く浸透する。
【実施例】
【０００７】以下、添付図面に従って一実施例を説明する。間伐材を杭本体１として土８に打ち込みやすい長さに切り、杭の先端２を尖らせ、杭の形に削り、杭の強度を保つ範囲内で杭の中心に大きめの穴３を開ける、開いた中心の穴３に向かつて外側から雨水が入りやすくする様に穴４をいくつも開ける、杭本体の中心の穴３の根元部分には溜まった雨水が杭の外へ出やすくする様に穴５を開ける、杭本体の中心の穴３には腐葉土６や炭７を詰め込む、中心の穴３に浸み込んだ酸性雨が炭７によって中和され、さらに腐葉土６でろ過されて大地深く浸透する。土８に打ち込まれた杭１はそのままで年数が経てば朽ちて土８になり杭１に詰め込まれた腐葉土６や炭７も良質な土８の一部になる為、雨水の浸透はいつまでも持続し、二酸化炭素の削減に寄与する。
【図面の簡単な説明】
【０００８】
【図１】本考案の二酸化炭素削減と雨水を地中深く浸透させられる間伐材の杭を土に打ち込んだ状態の図である。
【図２】上述の［図１］の断面図である。
【図３】上述の［図２］を上から見た断面図である。
【符号の説明】
【０００９】１  本考案の間伐材の杭
２  杭の先端
３  杭の中心に開けた大きめの穴
４  外側から雨水が入りやすくする様に開けた穴
５  雨水が杭の外へ出やすくする様に開けた穴
６  腐葉土
７  炭
８  土
【図１】
0003116377.tif 000003
【図２】
0003116377.tif 000004
【図３】
0003116377.tif 000005
【手続補正書】
【提出日】平成17年8月18日(2005.8.18)
【手続補正１】
【補正対象書類名】実用新案登録請求の範囲
【補正対象項目名】全文
【補正方法】変更
【補正の内容】
【実用新案登録請求の範囲】
【請求項１】
人工林で間引きされた杉やヒノキの間伐材の杭の中に入っている腐葉土や炭によって浸み込んだ酸性雨が中和、及び、ろ過されて大地深く浸透することにより森の保水力が増し、更に、杭に開けられた無数の穴には杭の中心に詰め込まれた腐葉土や炭の養分を吸収する為に森林の木の根が入り込み、杭はやがて朽ちて土になることを特徴とする、二酸化炭素削減と雨水を地中深く浸透させられる間伐材の杭。
(57)【要約】      （修正有）【課題】草花を、費用も場所も手間暇もかけずに越冬させることができる筒状の枠を提供する。【解決手段】植木鉢やプランター２より一周り大きくした上下共抜けた筒状の枠１で鉢を囲み、上部をシート３等で覆って霜から守る。草木は太陽の光を多く受けたいので、透明に近い素材で作ると良い。又枠の持ち運びや整頓のためにも、枠の上部の面積と下部の面積が同じでない方が扱いやすい。【選択図】図２
0003116379.tif 000002
【実用新案登録請求の範囲】
【請求項１】
植木鉢やプランターより一周り大きな、上部も下部も抜けた、草花を霜から守るための筒状の枠。
【請求項２】
枠が四辺形（プランター用）の場合、四隅を何らかの方法で分解して四枚の板状にしても、使用時は筒として使用するので筒として扱う。
【考案の詳細な説明】
【技術分野】
【０００１】  本考案は、植木鉢やプランターの外周りを筒状の枠で囲み、枠の上部をシート等で覆って、草花を霜から守る簡単な霜除けグッズである。
〔背景技術〕【０００２】  本格的な温室は色々出廻っているが、ダンボールを被せただけでも霜除け出来る程度の簡単な家庭用用具は皆無である。
〔考案の開示〕
〔考案が解決しようとする課題〕【０００３】  ほんの少し囲うだけで、霜から守れる草花を、費用も場所も手間暇もかけないで越冬させたい。
〔課題を解決するための手段〕【０００４】  上下共抜けている筒状の枠で、植木鉢やプランターの外側を囲み、夜間は枠の上部をシート等で覆って花草を霜から守る。
〔考案の効果〕【０００５】  鉢の数がたくさんあっても、一ツ一ツの鉢が囲ってあるので寒風を防ぐ効果は大きく又、鉢を自由な形に並べられるので土地利用効率も大きい。鉢をまとめて大きなシートで覆へば、毎日の水やりにもシート一枚を剥がすだけで便利である。筒状であるので路地植の草木にも利用出来る。枠の大小や丈の長短を作れば、利用範囲は大である。
〔考案を実施するための最良の形態〕【０００６】  草木は太陽の光を多く受けたいので、透明に近い素材で作ると良いと思はれる。又枠の持ち運びや整頓のためにも、枠の上部の面積と下部の面積が同じでない方が扱いやすいと思はれる。
【図面の簡単な説明】
【０００７】〔図１〕
プランター用枠の斜面図である。
〔図２〕
草花の植えてあるプランターを枠で囲み、上部をシートで覆った断面図である。
【符号の説明】
【０００８】１    プランター用筒状の枠。
２    プランター。
３    シート。
４    草花。
５    土の部分。
【図１】
0003116379.tif 000003
【図２】
0003116379.tif 000004
【手続補正書】
【提出日】平成17年8月5日(2005.8.5)
【手続補正１】
【補正対象書類名】実用新案登録請求の範囲
【補正対象項目名】請求項２
【補正方法】変更
【補正の内容】
〔請求項２〕
四隅を分解して、四枚の板にすることが可能な請求項１記載の筒状の枠。
(57)【要約】      （修正有）【課題】ティーアップしたティー本体と同じ形状のティーをもう１本ティーグランドに突き刺してお互いを丈夫な細い紐で繋ぎ合わせてティーの紛失防止をする。【解決手段】ティーアップするティーと同じ形状のティーをもう１本揃え、２本とも根元部分に紐を通せる穴を開け、お互いを丈夫な細い紐３で繋ぎ合わせる。２本のティーをティーグランド６に間隔を開けて挿し、ティーアップしたティー本体にゴルフボール５を乗せ打撃するとティーアップしたティーは弾き飛ぶが、同じ形状のティーに紐３で繋がれている為もう１本のティーを抜けばティーアップしたティーが付いてくることにより、ティーアップしたティーの紛失防止に役立つ。【選択図】図１
0003116376.tif 000002
【実用新案登録請求の範囲】
【請求項１】
ティーアップするティーと同じ形状のティーを２本用意し、２本とも根元部分に紐を通せる穴を開け、お互いを丈夫な細い紐で繋ぎ合わせる。お互いを繋ぎ合わせた紐の長さはゴルフクラブでティーアップしたゴルフボールを打撃するのに邪魔にならない距離まで離れれば良い。２本のティーをティーグランドに間隔を開けて挿し、ティーアップしたティーにゴルフボールを乗せ打撃するとゴルフボールと一緒にティーアップしたティーも弾き飛ばされて見失ってしまうが、ティーグランドに刺さったままの同じ形状のティーに紐で繋がれているため、ティーグランドに刺さったままの同じ形状のティーを抜けばティーアップしたティーが付いてくることにより、ティーアップしたティーをすばやく回収できるところを特徴とする。
【考案の詳細な説明】
【技術分野】
【０００１】本考案は、２本のゴルフティーをお互い丈夫な細い紐で繋ぎ合わせたゴルフティーに関するものである。
【背景技術】
【０００２】ティーアップしたティーにゴルフボールを乗せ打撃するとティーアップしたティーは弾き飛ばされるため、ティーグランドに立ち止まってティーを探すゴルファーを多く見かけた。
【考案の開示】
【考案が解決しようとする課題】
【０００３】ゴルフクラブでティーアップしたゴルフボールを打撃するとティーアップしたティーまで弾き飛ばされ紛失してしまう為、経済的負担が大きく。いつまでもティーグランドに立ち止まってティーを探していれば後続のプレイャーの迷惑になるため、時間的負担が多い。従って、ボールを乗せるゴルフティーと、無くならない為にティーグランドに挿すティーの両方の機能を損なうこと無く、お互いを丈夫な細い紐で繋ぎ合わせたゴルフティーによってティーの紛失がなくなり、前述の欠点を解決しようとするものである。
【課題を解決するための手段】
【０００４】本考案は、ティーアップするティーと同じ形状のティーを２本用意し、２本とも根元部分に紐を通せる穴を開け、お互いを丈夫な細い紐で繋ぎ合わせる。お互いを繋ぎ合わせた紐の長さはゴルフクラブでティーアップしたゴルフボールを打撃するのに邪魔にならない距離まで離れれば良い。２本のティーをティーグランドに間隔を開けて挿し、ティーアップしたティーにゴルフボールを乗せ打撃するとティーアップしたティーは弾き飛ぶが、同じ形状のティーに紐で繋がれている為もう１本のティーを抜けばティーアップしたティーが付いてくることにより、問題点を解決している。
【考案の効果】
【０００５】上述の様に、本考案はティーアップするティーは紐によって別のティーに繋がれていがゴルフクラブでティーアップしたゴルフボールを打撃した時の感触には影響を及ぼさない事は無論、ティーアップしたティーがどんなに力強く弾き飛ばされても、もう一方のティーがティーグランドに刺さったままの為、お互いに繋がれた紐の長さだけしか弾き飛ばされないことにより、ティーの紛失防止に役立つ。
【考案を実施するための最良の形態】
【０００６】本考案は、ゴルフのティーに紐を通す穴を開けた為に、ゴルフクラブで打撃された時の衝撃でティーが折れやすくならないようティーの紐を通す穴はティーグランドの土深く潜る位置に開ける。ティーアップするティーは紐によって別のティーに繋がれているがゴルフクラブでティーアップしたゴルフボールを打撃した時ティーアップしたティーがどんなに力強く弾き飛ばされても、もう一方のティーがティーグランドに刺さった状態を保つため、ティーアップしたティーはお互いに繋がれた紐の長さだけしか弾き飛ばされない、
【実施例】
【０００７】以下、添付図面に従って一実施例を説明する。ティー１と４は、木やプラスチック等にて形成され、ティー１と４の先端近くに紐を通す穴２を開け、丈夫な細い紐３をティー１と４の紐を通す穴２に通して紐を結ぶ。２本のティー１と４をティーグランド６に間隔を開けて挿し、ティーアップしたティー１にゴルフボール５を乗せ打撃するとゴルフボール５と一緒にティーアップしたティー１も弾き飛ばされて見失ってしまうが、ティーグランド６に刺さったままの同じ形状のティー４に紐３で繋がれているため、ティー４を抜けばティーアップしたティー１が付いてくることにより、ティーアップしたティー１をすばやく回収できる。
【図面の簡単な説明】
【０００８】
【図１】本考案の無くならないティーとティーアップしたティーをティーグランドに挿した状態の図である。
【図２】本考案の無くならないティーとティーアップしたティーを横から見た図である。
【符号の説明】
【０００９】１  本考案のティーアップするティー
２  丈夫な細い紐を通す穴
３  丈夫な細い紐
４  本考案のティーアップしたティーが無くならないようティーグランドに挿すティー
５  ゴルフボール
６  ティーグランド
【図１】
0003116376.tif 000003
【図２】
0003116376.tif 000004
【手続補正書】
【提出日】平成17年8月18日(2005.8.18)
【手続補正１】
【補正対象書類名】実用新案登録請求の範囲
【補正対象項目名】全文
【補正方法】変更
【補正の内容】
【実用新案登録請求の範囲】
【請求項１】
ティーの根元部分に紐を通せる穴が開けられ、お互いを丈夫な細い紐で繋ぎ合わされた２本のティーをティーグランドに間隔を開けて挿し、ティーアップしたティーにゴルフボールを乗せ打撃することにより、ゴルフボールと一緒にティーアップしたティーも弾き飛ばされて見失っても、ティーグランドに刺さったままの同じ形状のティーを抜けばティーアップしたティーが付いてくることにより、ティーアップしたティーをすばやく回収できるところを特徴とする、無くならないゴルフティー。
(57)【要約】      （修正有）【課題】使用場所を選ばず、簡便な設置、撤去ができる可動ミスト式岩盤浴ユニットを提供する。【解決手段】密閉された可動ミスト式岩盤浴ユニットでありながら安全上必要な給排気口には湯気、蒸気の通過を防止するフィルターを配することを特徴とする。【選択図】図１
0003116308.tif 000002
【実用新案登録請求の範囲】
【請求項１】
給排気口に湯気蒸気の通過を遮断するフィルターを用いた可動ミスト式岩盤浴ユニット。
【考案の詳細な説明】
【技術分野】
【０００１】
蒸気、湯気給排気防止フィルター付移動式岩盤浴ユニットに関するものである。
【背景技術】
【０００２】
従来の移動式岩盤浴ユニットは湯気、蒸気は室内に開放されるため、使用場所は湿気を嫌がらない場所のみに制限される。
【０００３】
室内で使用する場合、屋外へ排気するための装置とダクトが必要となり岩盤浴ユニットを設置する際の煩雑な作業となっている。
【０００４】
使用場所を選ばず、簡便な設置、撤去ができる可動ミスト式岩盤浴ユニットを提供する。
【考案の開示】
【考案が解決しようとする課題】
【０００５】
本考案は上述の点に鑑みてなされたもので、密閉された移動式岩盤浴ユニットでありながら安全上必要な給排気口には湯気、蒸気の通過を防止するフィルターを配することを特徴とする。
【考案の効果】
【０００６】
湿気を嫌う屋内、部屋で移動式岩盤浴ユニットを使用する際、排気装置、排気ダクトの特設が不要なため簡便に設置使用できる。
【０００７】
移動式岩盤浴ユニット使用後、排気装置、排気ダクトの撤去が不要なため簡便に撤去できる。
【考案を実施するための最良の形態】
【０００８】
排気、給気口にフィルターを用いることで蒸気、湿気の排出を防ぎ空気のみの排気を可能にした。
【実施例】
【０００９】
図1は本考案の実施例の臥式、座式両方可能な座式タイプの説明図であってユニット上部に蒸気、湿気を通さない図2−8．フィルターを配した5.排気口、下部に蒸気、湿気を通さない図2−8．フィルターを配した６．給気口を設けた。
【産業上の利用可能性】
【００１０】
蒸気湿気排気ダクトの設備を要しないことから可動ミスト式岩盤浴ユニットの設置、撤去が簡便でしかも蒸気湿気の排出を抑えることから仕様場所の制限を受けにくい。
【図面の簡単な説明】
【００１１】
【図１】岩盤浴ユニットの説明図である。
【図２】排気フィルターの説明図である。
【符号の説明】
【００１２】
１．岩盤浴ユニット
２．岩盤発熱シート
３．扉
４．キャスター
５．排気口
６．給気口
７．フィルターフレーム
８．フィルター
【図１】
0003116308.tif 000003
【図２】
0003116308.tif 000004
(57)【要約】      （修正有）【課題】包装用の包袋を横ずれなく載積する。【解決手段】両サイド一対の壁板１６の間隔は、内部に載積する包袋の横幅に応じて調整可能であり、前記包袋を載積する底板２２は、前記包袋の消費量に対応じて上昇する装置であって、前記底板２２の上に、両側方向にスライドする一対の補助板２３をそれぞれにオーバラップ状に重ね合わせると共に、前記各補助板２３から垂下するビスに締め付けナットを設ける。一方、リフトによる前記底板２２の昇降下限域において、前記両補助板２３の外側の端に形成した下向きの鉤要素３０が下降して係合しかつ上昇するとき外れるフックを、前記両サイドの壁板１６内側にそれぞれ設置する。【選択図】図１
0003116304.tif 000002
【実用新案登録請求の範囲】
【請求項１】
両サイド一対の壁板の間隔が、内部に載積する包袋の横幅に応じて調整可能であり、また前記包袋を載積する底板は、前記包袋の消費量に対応じて上昇する包袋の保管装置であって、前記底板に、前記両壁板の方向に向く長穴を形成し、これら長孔に沿って両側方向にスライドする一対の補助板を、前記底板両側それぞれにオーバラップ状に重ね合わせると共に、前記各補助板から垂下しかつ前記長孔を貫通するビスに締め付けナットを設ける一方、リフトによる前記底板の昇降下限域において、前記両補助板の外側の端に形成した下向きの鉤要素が下降して係合しかつ上昇するとき外れるフックを、前記両サイドの壁板にそれぞれ設置した装置。
【考案の詳細な説明】
【技術分野】
【０００１】
本考案は、ロータリ式の袋詰め包装機に対して、包装用の包袋を供給するために、前記包袋を載積して管理する装置の構造に関する。
【背景技術】
【０００２】
プラステイック製などの包装用の袋を、それを使用する包装機の近辺に載積して配置する場合、一般には、前記包袋を型崩れなく保管するための箱を用いる。同箱内の包袋を、真空カップで吸着して１枚づつ取り出す作業には、下記特許文献１に示すように、前記箱の底板を順次押し上げて同箱内の包袋の上面が常に一定レベルで保たれる配慮がなされ、また前記箱の、両サイド一対の壁板の間隔は、保管する包袋の横幅に応じて調整が可能である。しかし前記のごとく保管する包袋の横幅に応じて、前記両サイドの壁板の間隔を調整しても、前記の包袋を搭載する前記底板の復員は変化がないから、横幅の大きい包袋に合わせて前記両壁板の間隔を広げると、前記底板と前記壁板との間隙がそれだけ拡大し、載置した包袋の両側が前記間隙で垂れ下がって同包袋の横ずれの原因を形成する欠点があつた。
【０００３】
【特許文献１】特開２００２−３２６６０９号公報
【考案の開示】
【０００４】
本考案の包装体は、前記問題を解決するために、両サイド一対の壁板の間隔が、内部に載積する包袋の横幅に応じて調整可能であり、また前記包袋を載積する底板は、前記包袋の消費量に対応じて上昇する包袋の保管装置であって、前記底板に、前記両壁板の方向に向く長穴を形成し、これら長孔に沿って両側方向にスライドする一対の補助板を、前記底板両側それぞれにオーバラップ状に重ね合わせると共に、前記各補助板から垂下しかつ前記長孔を貫通するビスに締め付けナットを設ける一方、リフトによる前記底板の昇降下限域において、前記両補助板の外側の端に形成した下向きの鉤要素が下降して係合しかつ上昇するとき外れるフックを、前記両サイドの壁板にそれぞれ設置して構成する。
【０００５】
前記の構成によれば、前記底板の昇降下限域において、前記両補助板の端に形成した下向きの鉤要素が自動的に両サイドの壁板のフックに係合するので、包袋の幅に合わせて両壁板の間隔を調整した場合、前記底板に対して補助板はスライドして包袋の載置面を伸縮させる。そのあと締め付けナットで前記両補助板を前記の底板に固定して、その上面に包袋を載置することができ、そのあと前記包袋の消費に伴って前記底板が上昇して前記両補助板の両側が前記フックから浮上しても、前記ナットの締め付けで前記底板と両補助板とは一体化して前記包袋の荷重を支えることができるのである。
【実施例１】
【０００６】
正面図である図１及び、側面を示す図２のごとく、機台１０の上に設置した一対の軸受け１１に、ねじ棒１２を回転自在に支持すると共に、前記ねじ棒の右ねじ１３と、左ねじとに係合する一対の雌ねじ体１５にそれぞれ壁板１６を固定し、ハンドル１７の操作でもって前記ねじ棒１２を回転することにより、両壁板１６の間隔は調整自在である。
【０００７】
一方前記機台１０に固定するスリーブ２０に、ポール２１を上下方向にスライド自在に設置すると共に、前記ポール２１の上端に固定した底板２２の上面両側に、一対の補助板２３をそれぞれオーバラップ状に配置し、多数の包袋２５を載積する前記底板２２及び前記各補助板２３の昇降を、リフト（図示省略）でもってコントロールするごとく構成する。
【０００８】
図３は、前記底板２２の一部を拡大したものであり、その上にオーバラップして配置する片側の補助板２３を示したもので、前記底板２２に長孔２６を形成し、図示を一部省略しているが両側一対の補助板２３からそれぞれ垂下するビス２７を、前記長孔２６に挿入すると共に、前記各ビスにそれぞれナット２８を係合する。
【０００９】
一方、前記両補助板２３それぞれの外側の端を下方に折り曲げて形成した鉤要素３０を、両壁板１６それぞれの内面に固定したフック３１の溝に係合し、前記底板２２及び両側の補助板２３に載置する包袋の復員合わせて、前記両壁板１６の間隔を矢印３２方向に調整するとき、前記両補助板２３も前記長孔２６の範囲内で自動的に矢印３３の方向に変位し、そのあとナット２８の締め付け強化により、前記底板及び補助板は一体化するのである。要するに図４は、両壁板１６と一体に両補助板２３を接近させた形態であり、図５は両壁板１６と一体に両補助板２３を離反させた形態である。
【００１０】
図２において載積する包袋２５の消費に伴い、底板２２はリフトによって矢印３５の方向に変位し、包袋２５の上面を常に同じレベルに維持する。この場合図３における鉤要素３０はフック３１から浮上するが、底板２２と補助板２３とはビス２８の締め込みにより一体化し、包袋の重量を支えるのである。
【００１１】
図６は、補助板２３から突き出るピン４０により鉤要素を、またピン４０を係合するために壁板１６に固定するボス孔４１でフックを形成した実施例であり、さらに図示する長孔２６を、形を変えて蟻溝により形成てきるので、請求項に記載した「長孔」は、蟻溝をも含むものと定義することがてきるのである。
【図面の簡単な説明】
【００１２】
【図１】正面図
【図２】側面図
【図３】部分的斜視図
【図４】平面図
【図５】平面図
【図６】他の実施例を示す部分拡大図
【符号の説明】
【００１３】
１３‥‥両ねじを備えるねじ棒
１６‥‥壁板
２２‥‥底板
２３‥‥補助板
２５‥‥包袋
２６‥‥長孔
２７‥‥ビス
２８‥‥ナット
３０‥‥鉤要素
３１‥‥フック
【図１】
0003116304.tif 000003
【図２】
0003116304.tif 000004
【図３】
0003116304.tif 000005
【図４】
0003116304.tif 000006
【図５】
0003116304.tif 000007
【図６】
0003116304.tif 000008
(57)【要約】      （修正有）【課題】幼稚園児や小学校低学年の生徒などが大人用のゴム手袋を着用した場合にはサイズが大きいため作業時にゴム手袋がずれたりあるいは外れたりし作業時に着用するのは問題があり、素手で作業を行わざるを得なかった。アトピーなどのアレルギー障害をもつ子供には深刻な問題となっていた。このような子供にもジャストフィットするゴム手袋を提供する。【解決手段】大人用のものと比較してサイズの小さなゴム手袋の袖口部５に肉厚部を形成するとともに、左右一対の手袋本体１を相互に紐体７で連結しておく。肉厚部はゴム手袋成形時に厚くなるようにしておいても、多重に折り曲げておく事によって得られる。【選択図】図１
0003116303.tif 000002
【実用新案登録請求の範囲】
【請求項１】
手挿入口たる袖口部に周方向に肉厚部が形成されており、かつ、左右一対の手袋本体が相互に紐体で連結されていることを特徴とするゴム手袋。
【請求項２】
手挿入口たる袖口部に周方向に肉厚部が形成されており、かつ、左右一対の手袋本体が相互に紐体で連結されており、さらに手首のくるぶし対応位置に周方向に絞り加工が施されていることを特徴とするゴム手袋。
【考案の詳細な説明】
【技術分野】
【０００１】
本考案はゴム手袋、更に詳しくは子供用のゴム手袋に関するものである。
【背景技術】
【０００２】
ゴム手袋は炊事や清掃などの家事に用いて水の冷たさを緩和したり汚物を直接触れずに処理し、手荒れ防止や洗剤などによるアレルギーの防止などを図るために着用するものである。
【０００３】
【特許文献１】特開２００２−１３０１２号の（図１）
【特許文献２】特開２００３−２７８０１５号の（図１）
【考案の開示】
【考案が解決しようとする課題】
【０００４】
従来のゴム手袋は、一般に大人の作業を念頭において作られており、寸法が子供特に小学校低学年や幼稚園児等には大きいもので使用するには困難であった。
【０００５】
学校教育において家庭科や技術科目の授業で炊事をしたり、課外授業などの園芸作業においては土や水に触れる機会が多いものである。また、家庭においては家事のお手伝いをするときに洗剤入りの水やお湯に触れることが多いものである。しかしながら、特に幼稚園児や小学校低学年の生徒などが、一般の大人用のゴム手袋を着用した場合には、サイズが大きいため作業時にゴム手袋がずれたり、あるいは外れたりして作業時に着用するのは問題があり、作業を続行するには素手で作業を行わざるを得なかった。昨今アトピーなどのアレルギー障害をもつ子供には更に深刻な問題となっていた。
また、子供が大人用のゴム手袋を装着した場合には、ゴム手袋の手を挿入する開口部である袖口が余り、水などがこの部分から内部に入り込みゴム手袋の使用目的を果たさないといったことが頻繁に発生していた。
ために小学校低学年や幼稚園・保育園においては、特に冬季で水に関連しての教育や遊びができずにいたものである。
さらに、大人用のゴム手袋は、左右一対の手袋が相互に分離されているため、持ち運び時などの不使用時に片方の手袋を紛失するといったこともあり得るものであった。
【課題を解決するための手段】
【０００６】
本考案においては、子供用サイズの小さなゴム手袋の袖口部の周方向に連続した肉厚部を形成するとともに、さらには手首のくるぶしの対応部位を周方向に絞り加工をした。また左右一対の手袋本体の端を相互に紐体で連結しておくことを特徴とする。
【考案の効果】
【０００７】
この考案によれば、手袋本体の全体的なサイズを小さめに設定していることから、子供が着用しその手にフィットするので、使用中に指先や手のひらなどがズレて二重になってしまい細かな作業ができないといったことがなくなり極めて利便でその効用大である。
【０００８】
また、本考案によれば、袖口部が多重になっているので、腕にきっちりと締め付けられるので、作業時袖口から水などが入り込むといったことがなくなる。さらに左右一対の手袋が相互に紐体で連結されているので片方の手袋をなくすといった事態の発生がなくなるといった利点が認められる。
【考案を実施するための最良の形態】
【０００９】
以下に本考案の実施の形態について図面を参照しながら説明する。
【００１０】
図１は本考案の一実施例を示した平面図である。
【００１１】
図１に示すように、本考案のゴム手袋は左右一対の手袋本体部１と、先端側に指に対応した形状の指部３と、手を手袋本体部１に入れるための開口部たる袖口部５からなる。本体部１の手首に対応する部分から袖口部５までは漸次広径になって手が本体部１に挿入し易くなっている。
【００１２】
袖口部５は肉厚状に形成されて腕に締付けて密着するようになっている。これにより腕と袖口部５とが密着して袖口から内部への水などの浸入が阻止される。
【００１３】
袖口部５の肉厚は他の部分より例えば３〜８倍位の厚さに設定されている。肉厚状の形成はゴム手袋の製作時に最初から設定しておくことにより得ることができるが、この他袖口部を外側あるいは内側に多重に折り曲げて縫製したり、別体のゴムバンドを縫い付けておくことにより得ることができる。
【００１４】
左右の手袋本体１，１は袖口部５同士が相互に紐体７で連結されている。これにより左右の手袋本体の一方が他方から離れて片方をなくすことが防止される。子供用にとってはこの紐体７の存在は大きな利点となる。
【００１５】
手袋本体の手の平たる掌握面（甲部とは反対面）には図示しないが、適宜滑り止め加工として小さな突起を複数形成したり、あるいは梨地状の仕上げとしておいてもよい。各指先にも同様にこのような滑り止め加工を施しておけば掴んだ物が滑ったりすることなく作業が容易になる。
【００１６】
本考案のゴム手袋の材料としては特に限定されるものではなく、合成ゴムあるいは天然ゴムなどの素材から形成される。
【００１７】
サイズの小さなゴム手袋の袖口部に肉厚部を形成するとともに、左右一対の手袋本体を相互に紐体で連結しておく本考案のゴム手袋の寸法としては特に限定されるものではないが、本考案が子供用を対象としているため通常の大人用のものより小さめの寸法になる。例えば中指の長さを６センチメートル、手の平周りを１９センチメートル、指先から袖口部までの寸法を２６センチメートルとしておくのが標準的な寸法となる。もっとも本考案はこの数値に限定されるものではなく、各部位あるいは全体的な寸法をこれより小さくあるいは大きく設定することを妨げない。本考案のゴム手袋の材料としては特に限定されるものではなく、合成ゴムあるいは天然ゴムなどの素材から形成される。
【００１８】
次に本考案の第２の実施例について図２を参照して説明する。この第２の実施例におけるゴム手袋には、ゴルフ用の手袋に施されているような手首のくるぶしに対応する位置に絞り加工が施されている（絞り加工部１０ａ）。これにより、ゴム手袋が手に密着して手がゴム手袋内で滑ることがなく使用者の使い勝手が向上する。
【図面の簡単な説明】
【００１９】
【図１】本考案の第１の実施例におけるゴム手袋を示した平面図。
【図２】本考案の第２の実施例におけるゴム手袋（片方）を示した平面図。
【符号の説明】
【００２０】
１  ゴム手袋本体
３  指部
５  袖口部
７  紐体
１０ａ  絞り加工部
【図１】
0003116303.tif 000003
【図２】
0003116303.tif 000004
(57)【要約】      （修正有）【課題】給排水管の端部同士をソケット等で接続する際に、給排水管端部の下部に接着剤を容易に塗布することができ、しかもその作業にあたって、地面を深く掘る必要もない刷毛付き塗布剤容器を提供する。【解決手段】上部に口部５を有する容器本体４と、口部５に装着されるキャップ６と、キャップ６から下方に伸びる柄７の先端に刷毛８を有する刷毛付き塗布剤容器であって、柄７が屈曲形状となされ、具体的には例えば、柄７の長さ中央部付近で屈曲角度が１１０°〜１５０°とされている。【選択図】図１
0003116311.tif 000002
【実用新案登録請求の範囲】
【請求項１】
上部に口部を有する容器本体と、口部に装着されるキャップと、キャップから下方に伸びる柄の先端に設けられた刷毛を有する刷毛付き塗布剤容器において、前記柄が屈曲していることを特徴とする、刷毛付き塗布剤容器。
【請求項２】
柄がその長さ中央部付近で屈曲し、且つ屈曲角度が１１０°〜１５０°であることを特徴とする、請求項１記載の刷毛付き塗布剤容器。
【考案の詳細な説明】
【技術分野】
【０００１】
本考案は、例えば、給排水のための硬質塩化ビニル管用接着剤や塗料等が入れられ、且つこれらを被塗布物に塗るための刷毛を備えた刷毛付き塗布剤容器に関する。
【背景技術】
【０００２】
従来、例えば、硬質塩化ビニル製の給排水管の端部同士をソケット等で接続する場合に用いられる接着剤の容器(30)は、図４に示すように、口部(32)を有する容器本体(31)と、口部(32)に装着されるキャップ(34)と、キャップ(34)に一体に設けられた刷毛(38)とを備え、口部(32)の外周には雄ネジ(33)が形成され、キャップ(34)の内周には前記雄ネジ(33)と螺合する雌ネジ(35)が形成されており、またその内方には円筒状の内栓(36)が設けられていた。そして、内栓(36)の内方には刷毛(38)の柄(37)が垂下状に設けられていた。
【考案の開示】
【考案が解決しようとする課題】
【０００３】
給排水管の端部同士をソケット等で接続する場合、図５に示すように、前記キャップ(34)を手(H)で持って、柄(37)先端の刷毛(38)に予め含浸させておいた接着剤を給排水管(P)の端部の全周にわたって塗布するのであるが、この際、給排水管(P)の端部の上半部は作業者が目視しながら塗布できるため、その作業が比較的容易であるが、給排水管(P)の端部の下半部、特に下部は作業者が目視できない上、従来の容器(30)では、キャップ(34)に設けられた刷毛(38)の柄(37)が真直ぐであったため、塗布作業自体も行い難くことから、該部に接着剤が完全に塗布されず、その結果、漏水が発生するおそれがあった。
【０００４】
また、前述した通り、刷毛(38)の柄(37)が真直ぐであることから、前記給水管接続作業を行うにあたり、図５に示すように、地面(G)に作業者の手(H)が入るための凹所(S)を深く掘らなければないないという不都合もあった。
【０００５】
本考案の目的は、給排水管の端部同士をソケット等で接続する際に、給排水管端部の下部に接着剤を容易に塗布することができ、しかもその作業にあたって、地面を深く掘る必要もない刷毛付き塗布剤容器を提供することにある。
【課題を解決するための手段】
【０００６】
請求項１記載の本考案は、上部に口部を有する容器本体と、口部に装着されるキャップと、キャップから下方に伸びる柄の先端に設けられた刷毛を有する刷毛付き塗布剤容器において、前記柄が屈曲していることを特徴とするものである。
【０００７】
請求項２記載の本考案は、前記請求項１記載の刷毛付き塗布剤容器について、柄がその長さ中央部付近で屈曲し、且つ屈曲角度が１１０°〜１５０°であることを特徴とするものである。
【考案の効果】
【０００８】
本考案は、上部に口部を有する容器本体と、口部に装着されるキャップと、キャップから下方に伸びる柄の先端に設けられた刷毛を有する刷毛付き塗布剤容器において、前記柄が所定の角度で屈曲しているため、硬質塩化ビニル製の給排水管の端部同士をソケット等で接続する場合に、柄が逆への字となるようにキャップを手で持てば、給排水管端部の下部に接着剤を容易に塗布することが可能となる。またこの場合、作業者の手の高さ位置が柄先端の刷毛の位置よりも上位となるため、前記給排水管の接続作業を行うにあたって、作業者の手が入るスペースを確保するために、地面を深く掘る必要もない。そのため、地面掘削作業の軽減化と前記接着剤塗布作業の容易化によって、給排水管の接続作業の効率を大幅に高め、且つ漏水の発生を確実に防止することが可能となる。
【考案を実施するための最良の形態】
【０００９】
次に、本考案を硬質塩化ビニル管用接着剤の容器に適用した場合の実施形態について、図面にしたがって説明するが、本考案は係る実施形態に限定されるものではなく、その要旨の範囲内で種々の変形実施が可能である。
【００１０】
図１および図２に示すように、本実施形態の刷毛付き容器(1)は、上壁(2)および下壁(3)を有する円筒状の金属製容器本体(4)と、上壁(2)に設けられた口部(5)と、口部(5)に装着される合成樹脂製キャップ(6)と、キャップ(6)から下方に伸びる合成樹脂製の柄(7)と、柄(7)の先端に設けられた刷毛(8)とを有している。
【００１１】
口部(5)の外周には雄ネジ(9)が形成され、キャップ(6)の内周には雄ネジ(9)と螺合する雌ネジ(11)が形成されている。また、キャップ(6)の側壁(6a)の内方には、円筒状の内栓(12)が設けられ、該内栓(12)と側壁(6a)との間に口部(5)が入る構造となっている。
【００１２】
刷毛(8)の柄(7)は、その長さ中央部付近で屈曲した形状となされ、屈曲角度(α)は、１１０°〜１５０°の範囲とされている。
【００１３】
図３に示すように、本実施形態に係る刷毛付き容器(1)を用いて硬質塩化ビニル管(P)端部の下部に接着剤を塗布する場合、刷毛(8)の柄(7)が逆への字となるようにキャップ(6)を手(H)で持てば、硬質塩化ビニル管(P)の下部に接着剤を容易に塗布することができる。また、この場合、刷毛(8)の柄(7)が屈曲している関係で、手(H)の位置が刷毛(8)の位置より上位となるため、地面(G)を深く掘る必要もない。
【産業上の利用可能性】
【００１４】
本考案の刷毛付き塗布剤容器は、給排水管接続用の接着剤の容器の他、塗料、コーティング剤等の種々の塗布剤の容器として利用することができる。
【図面の簡単な説明】
【００１５】
【図１】実施形態に係る容器の断面図である。
【図２】容器本体から取り外したキャップの正面図である。
【図３】接着剤塗布作業の状態を示す参考図である。
【図４】従来の容器を示す断面図である。
【図５】同容器における刷毛を用いた接着剤塗布作業の状態を示す参考図である。
【符号の説明】
【００１６】
(1)  刷毛付き容器
(4)  容器本体
(5)  口部
(6)  キャップ
(7)  柄
(8)  刷毛
【図１】
0003116311.tif 000003
【図２】
0003116311.tif 000004
【図３】
0003116311.tif 000005
【図４】
0003116311.tif 000006
【図５】
0003116311.tif 000007
(57)【要約】【課題】下垂した臀部を補って高いヒップ位置を形成するヒップパッド付パンツの構造を提供する。      【解決手段】ヒップパッド付パンツの構造は、パンツの背面の臀部近く位置に二個の袋体を設置し、各袋体上には方形の開口が開設されてそこに乳濁液材の葉形状ヒップパッドを設置する。このヒップパッドの内面は臀部形状に合わせて凹円弧面が成形され、ヒップパッドの表面は臀部の曲線に合わせて凸円弧面を形成し、これによって、高い臀部の円弧面が形成される。【選択図】図１
0003116319.tif 000002
【実用新案登録請求の範囲】
【請求項１】
主にパンツとヒップパッドから構成されたヒップパッド付パンツの構造において、
パンツの背面の臀部近くに二個の袋体を貼り付け、各袋体上には方形の開口が成形され、そこに乳濁液材の葉形状のヒップパッドを入れ、ヒップパッドの内面は人の臀部に合わせて凹円弧面を形成し、ヒップパッドの表面は凸円弧面を形成して下垂した臀部を補い、高いヒップ位置を形成することを特徴とするヒップパッド付パンツの構造。
【請求項２】
前記袋体は、中に１片以上のヒップパッドを入れることを特徴とする請求項１記載のヒップパッド付パンツの構造。
【考案の詳細な説明】
【技術分野】
【０００１】
本考案は、ヒップパッド付パンツの構造に関するもので、ヒップパッドの設置により高い位置のヒップラインを作るものである。
【背景技術】
【０００２】
一般に女性の臀部は、少女(約１５歳から２０歳の間)期、活動量も多いため、臀部の筋肉は締まり、曲線を描いている。ＯＬ時代になると、毎日事務椅子に６時間間座り続けているため、これらの女性（２１歳から２７歳）の臀部は、骨盤と上半身の重量を受け、臀部の筋肉が両側に拡散し、更には臀部が大きくなってしまい、曲線度は下がる。またこの時期の女性は大部分が運動不足であるため、筋肉も緩みやすく、臀部は下に下がってしまう。更に出産期(２８歳から３５歳)の女性は、胎児の重量が増すに従い、重心が前方へ移動し、立った時、僅かに傾く。寝る時には横向きであるので、脊髄が僅かに変形し、相対して臀部が変形して下へ下がる。更に女性が身につける一般的なパンツ１０は、図１に示すとおり、臀部の曲線を調整する機能はなく、臀部は下がったままである。
【考案の開示】
【考案が解決しようとする課題】
【０００３】
解決しようとする問題点は、一般のパンツでは下垂した臀部を補うことができない点である。
【課題を解決するための手段】
【０００４】
本考案は、パンツの背面の臀部近く位置に二個の袋体を設置し、各袋体上には方形の開口が開設されてそこに乳濁液材の葉形状ヒップパッドを設置する。このヒップパッドの内面は臀部形状に合わせて凹円弧面が成形され、ヒップパッドの表面は臀部の曲線に合わせて凸円弧面を形成し、これによって、高い臀部の円弧面が形成されることを最も主要な特徴とする。
【考案の効果】
【０００５】
本考案のヒップパッド付パンツの構造は、下垂した臀部を補って、高いヒップを形成するという利点がある。
【考案を実施するための最良の形態】
【０００６】
本考案パンツ１０の基本構造は、図２及び図３に示すとおり、パンツの背面の人の臀部位置に二個の袋体１１を設置する。更に各袋体１１上には方形の開口１１１が開設されて、そこに乳濁液材の葉形状のヒップパッド２０を設置する。図４に示すとおり、ヒップパッド２０の内面は、人の臀部の形状に合わせて凹形円弧面２１が成形され、ヒップパッド２０の表面は臀部の形状に合わせて凸円弧面２２が成形される。
【０００７】
使用時、異なる湾曲度の凸円弧面の一片もしくは一片以上のヒップパッド２０を設置する。その時、凸円弧面２２を外側に向け、開口１１１から各袋体１１へ入れる。使用者がこのパンツ１０を履くと、図５に示すとおり、ヒップパッド２０の内面の凹円弧面２１が使用者の臀部に当たり、別側の凸円弧面２２が臀部の下垂箇所を補い、ヒップを高くする。乳濁液材で成型されたヒップパッド２０は軽いので、使用者の負担にならない。また、この材質は本物に近く、使用者がズボンやスカートを履いた時、綺麗な曲線が出る。
【図面の簡単な説明】
【０００８】
【図１】公知のパンツを履いた状態指示図である。
【図２】本考案のパンツ及びヒップパッドの立体構造分解図である。
【図３】本考案のヒップパッドを袋体内に設置した構造指示図である。
【図４】本考案のヒップパッドの構造指示図である。
【図５】本考案のパンツを履いた状態指示図である。
【符号の説明】
【０００９】
１０        パンツ
１１        袋体
１１１        開口
２０        ヒップパッド
２１        凹形円弧面
２２        凸形円弧面
【図１】
0003116319.tif 000003
【図２】
0003116319.tif 000004
【図３】
0003116319.tif 000005
【図４】
0003116319.tif 000006
【図５】
0003116319.tif 000007
(57)【要約】      （修正有）【課題】不便さと不快感のないトイレットペーパーホルダーを提供する。【解決手段】トイレットペーパーホルダーの下部に切り込みを入れた受け皿を、強力な粘着力のある物やその他の物で固定をしたり、又一体化したアンダーカッター式ホルダーを作成し、トイレットペーパーを逆にセッティングし、下向きにカットをする事で、ペーパーの端が常に明らかな位置にある様になり、次回使用時はアンダーカッターの切り込みの所にあるトイレットペーパーの表、裏を指で摘まみ引き、ペーパーの端を探す事なく容易に使用出来、不便さも不快感もなくなった。【選択図】 図１
0003116389.tif 000002
【実用新案登録請求の範囲】
【請求項１】
トイレットペーパーを従来とは逆にセッティングし、切り込みを入れた受け皿で下向きにカットをするホルダー。
【請求項２】
トイレットペーパーを下向きにカットをする為の切り込みを入れた受け皿。  
【考案の詳細な説明】
【技術分野】
【０００１】
この考案は、トイレットペーパーカッターの形状に関する。
【背景技術】
【０００２】
従来のトイレットペーパーカッターは、上向きにカットをする様につくられている。
【考案の開示】
【考案が解決しようとする課題】
【０００３】
従来のトイレットペーパーカッターは、上の蓋でカツトをする為ペーパーの端がペーパーロールと引っ付きペーパーの端を見つけにくく不便を感じ不快感があった。
そこで、本考案は、切り込みを入れた受け皿でペーパーをカットする事により、ペーパーの端が常に明らかな位置にあり、不便さや不快感を取り除いたトイレットペーパーカッターを提供することを課題とする。
【課題を解決するための手段】
【０００４】
以上の課題を解決する為に、従来のトイレットペーパーホルダーの下部に、切り込みを入れた受け皿を強力な粘着力のあるものや、その他のもので固定をしたり、又一体化したアンダーカッター式ホルダーを作成し、トイレットペーパーを従来とは逆にセッティングし、下向きにカットをする、そして次回使用時はアンダーカッターの切り込みの所にあるトイレットペーパーの表、裏を指で摘まみ引き、ペーパーの端を探す事なく容易に使用出来る事を特徴とするトイレットペーパーホルダーである。
【考案の効果】
【０００５】
このアンダーカッター式のトイレットペーパーホルダーにした為、ペーパーの端が常に明らかな位置にある様になり、又アンダーカッター部に切り込みを入れた為ペーパーを指で引きやすくなり、使用しやすく不便さも不快感もなくなった。
【考案を実施するための最良の形態】
【０００６】
この考案の一実施形態を、図１、図２に基づいて説明する。
図において１は、ペーパーカット部で２はペーパーの表、裏を摘まむ為の切り込み、又３はトイレットペーパーで４はペーパーを従来とは逆に取り付けたペーパーの端です５は従来の横カバー６は従来ペーパーをカットしていた蓋
【実施例１】
【０００７】
６のペーパーの上蓋と５の横カバーそして図２の切込みを入れた受け皿が一体化し、５の内側にはペーパーロールを止めておく為の器材が取り付けられていて、従来の物と同じであるが、ただ今回は切込みを入れた受け皿を取り付けたところが従来とは異なりホルダーの使用方法も異なる、従来のものは、トイレットペーパーロールの上の蓋でカットをする為ペーパーの端がロールに引っ付きペーパーの端を探すのに、ペーパーロールをくるくる回し、やっとの思いで端を見つける事もしばしばあり、不便を感じ不快感もあったが、今回トイレットペーパーロールを従来とは逆にセッティングし、その下の切り込みを入れた受け皿でカットし、次の使用の際は受け皿の切り込みの所のペーパーの表、裏を指で摘まみ引くと容易にぺーパーをカットする事が出来る。
【図面の簡単な説明】
【０００８】
【図１】この考案の一実施形態を示す斜視図である。
【図２】切り込みを入れた受け皿の斜視図である。
【符号の説明】
【０００９】
１  ペーパーカット部
２  ペーパーの表、裏を摘まむ為の切り込み
３  トイレットペーパー
４  ペーパーを従来とは逆に取り付けたペーパーの端
５  従来の横カバー
６  従来ペーパーをカットしていた蓋
【図１】
0003116389.tif 000003
【図２】
0003116389.tif 000004
【手続補正書】
【提出日】平成17年9月7日(2005.9.7)
【手続補正１】
【補正対象書類名】実用新案登録請求の範囲
【補正対象項目名】全文
【補正方法】変更
【補正の内容】
【実用新案登録請求の範囲】
【請求項１】
トイレットペーパーホルダーと、そのトイレットペーパーホルダーの下部に取り付けられた受け皿とを含み、受け皿の下縁付近にトイレットペーパー端を摘み引く為の穴を有する事を特徴とする、受け皿つきトイレットペーパーホルダー。
【請求項２】
トイレットペーパーホルダーの、下部に取り付けるための受け皿であって、その下縁付近にトイレットペーパー端を摘み引く穴を有した事を特徴とする受け皿。
(57)【要約】【課題】しっかりと根を張ったため、従来のプランター、植木鉢では植え替えが困難な樹木、草花を容易に植え替えできるように工夫したプランター・植木鉢を提供する。【解決手段】プランター・植木鉢を２分割し、それぞれの両端部分の上下に、両者を合体させたときにうまく重なり合うようにリング状のものを取り付け、そこに棒を差し込むことで通常のプランター・植木鉢と同じ機能をもたせ、棒を引き抜くことによって、二つに分割できるようにする。【選択図】図１
0003116383.tif 000002
【実用新案登録請求の範囲】
【請求項１】
縦に二つに分かれるようにすることによって、植え替えをたやすくできるように工夫したプランター・植木鉢
【考案の詳細な説明】
【技術分野】
【０００１】本考案は、プランター・植木鉢を縦に真二つに分かれるようにすることによって、根が張って上から引っ張るのでは抜きにくくなった樹木、草花を簡単に、かつそっくり取り出せるようにした。これにより、植物の植え替えがたやすくできるように工夫したものである。
【背景技術】
【０００２】従来は・樹木・草花を上から引っ張る以外にプランター・植木鉢から取り出せるようなものはなかった。
【考案の開示】
【考案が解決しようとする課題】
【０００３】樹木や草花をプランター・植木鉢で栽培した場合、順調に成長すればするほど根がしっかりと張り、それをもっと大きなものに植え替えようとしても、なかなか従来のプランター・植木鉢から引っ張り出すことことができない。
樹木の場合、それを無理にすると樹木そのものを傷めてしまう恐れがある。そうなればプランターそのものを割るほかないが、最近では割りたくても割れない分厚いプラスチック製のものが多い。
また草花の場合は、樹木のように力ませに引き抜くことができないので、プランター・植木鉢を横倒しにするか、あるいは引っ繰り返すほかないが、そうすると必ず草花を傷めてしまうという難点がある。
本考案はこの課題を解決するためになされたものである。
【課題を解決するための手段】
【０００４】（図面参照）
▲１▼  プランター・植木鉢を縦に２分割し、各々の接合部分の上下２ヶ所に、両者を合体させたときうまく重なり合うように、例えばリング状のものを取り付ける。
▲２▼  二つに分割されたプランター・植木鉢を一つのプランター・植木鉢となるように合わせて、上記▲１▼の重なり合ったリング状のものに棒を差し込むことにより固定する。それにより、従来同様のプランター・植木鉢として機能するようにする。
▲３▼  植え替えの際には、棒を引き抜けば簡単に二つに分かれるので、栽培した樹木、植物を全く傷めることなく、容易にそっくり取り出すことができる。
▲４▼  なお、本考案の一番のポイントは二つに分けられるということである。したがってリング状のものに棒を差し込む方法でなくても、２分割された部分をしっかりと合体させたり、簡単に分離したりすることができれば、例えば一方にアーム状の引っ掛け、他方にそれを受け止める口を取り付ける方法でもよい。
【考案の効果】
【０００５】プランター・植木鉢に植えた樹木や草花がどれほど大きく、きっちりと根を張っても・植え替えのとき、二つに分けることにより、根や幹や花を傷めずに容易に取り出せる。
【考案を実施するための最良の形態】
【０００６】（図面参照）
以下本考案の実施の形態について説明する。
▲１▼  プランター・植木鉢を縦に２等分し、それぞれの両端の上下に、両者を合体させたときにうまく重なり合うようにリング状のものを取り付ける。
▲２▼  両者を合体させ、うまく重なり合ったこのリング状のものに差し込み両者をしっかりと固定できる−かつ容易に引き向くことができる−棒を用意する。（これにより通常のプランター・植木鉢と同じものになる。）
▲３▼  植え替え等に当たっては差し込んである棒を引き抜き、二つに分割する。
【図面の簡単な説明】
【０００７】
【図１】本考案のイメージを表した斜視図である。
【図２】本考案の正面図である。
【図３】本考案の側面図である。
【図４】本考案の平面図である。
【図５】本考案を二つに分割したときのそれぞれの部分のイメージ図である。
【符号の説明】
【０００８】１  二つに分割できるプランターの一方
２  二つに分割できるプランターの他方
３  合体させたときうまく重なり合うように取り付けたリング状のもの
４  合体をしっかりと固定するために差し込む棒
【図１】
0003116383.tif 000003
【図２】
0003116383.tif 000004
【図３】
0003116383.tif 000005
【図４】
0003116383.tif 000006
【図５】
0003116383.tif 000007
【手続補正書】
【提出日】平成17年8月19日(2005.8.19)
【手続補正１】
【補正対象書類名】実用新案登録請求の範囲
【補正対象項目名】全文
【補正方法】変更
【補正の内容】
【実用新案登録請求の範囲】
【請求項１】
プランター・植木鉢を２分割し、それぞれの両端部分の上下に、両者を合体させたときにうまく重なり合うようにリング状のものを取り付け、そこに棒を差し込むことで通常のプランター・植木鉢と同じ機能をもたせ、棒を引き抜くことによって、二つに分割できるような構造にしたプランター・植木鉢。